(57)【要約】【課題】  毎日の日めくり作業が不要で季節感を明確に認識できるようにする。【解決手段】  文字である月日ａとその月日ａの属する季節を感じさせるイメージｂとを表示する表示器１と、表示器１に接続されて月日ａ，イメージｂを更新する制御器２とを備えている。表示器１は、月日ａを中央部に大きく表示させイメージｂを月日の背景として表示させるものである。制御器２は、時計機能をもったタイマと月日ａ，イメージｂに係る内容が記憶されたメモリとタイマのカウントに対応して必要な月日ａ，イメージｂをメモリから選択して表示器１に表示する制御部とからなる。【選択図】図１
0003140419.tif 000002
【実用新案登録請求の範囲】
【請求項１】
文字である月日とその月日の属する季節を感じさせるイメージとを表示する表示器と、表示器に接続されて月日，イメージを更新する制御器とを備え、表示器は月日を中央部に大きく表示させイメージを月日の背景として表示させるものであり、制御器は時計機能をもったタイマと月日，イメージに係る内容が記憶されたメモリとタイマのカウントに対応して必要な月日，イメージをメモリから選択して表示器に表示する制御部とからなるカレンダー装置。
【請求項２】
請求項１のカレンダー装置において、表示器は文字である二十四節気，雑節を表示するものであり、制御器はメモリに二十四節気，雑節に係る内容が記憶され制御部がタイマのカウントに対応して必要な二十四節気，雑節をメモリから選択して表示器に表示することを特徴とするカレンダー装置。
【請求項３】
請求項１または２のカレンダー装置において、表示器，制御器はケーシングに一体的に組込まれていることを特徴とするカレンダー装置。
【請求項４】
請求項３のカレンダー装置において、ケーシングは日常的に使用される日用品の一部分となっていることを特徴とするカレンダー装置。
【考案の詳細な説明】
【技術分野】
【０００１】  本考案は、日めくりタイプ（日毎更新タイプ）のカレンダー装置に係る技術分野に属する。
【背景技術】
【０００２】  日めくりタイプのカレンダー装置は、当日（さらには当月）が大きく表示されることから月めくりタイプ（月毎更新タイプ）のカレンダー装置よりも月日の確認が容易，確実であるという長所があるが、認知症，高齢者，障害者等にとって毎日の日めくり作業が煩雑であるという短所がある。このため、毎日の日めくり作業を不要にした日めくりタイプのカレンダー装置の開発が要望されている。【０００３】  従来、毎日の日めくり作業を不要にしたカレンダー装置としては、例えば、実開平５−７３５９３号公報に記載のものが知られている。【０００４】  この従来のカレンダー装置は、時計機能をもったタイマを備え、表示器に表示される月日が毎日自動的に更新されるようにしたものである。
【考案の開示】
【考案が解決しようとする課題】
【０００５】  前述の従来のカレンダー装置では、毎日の日めくり作業の煩雑さが解消されているものの、あまり外出せず戸外の風景の移変わりに疎くなっている認知症，高齢者，障害者等にとって、文字のみで表示される月日から季節感を明確に認識することができないという問題点がある。【０００６】  本考案は、このような問題点を考慮してなされたもので、毎日の日めくり作業が不要で季節感を明確に認識することのできるカレンダー装置を提供することを課題とする。
【課題を解決するための手段】
【０００７】  前述の課題を解決するため、本考案に係るカレンダー装置は、実用新案登録請求の範囲の各請求項に記載の手段を採用する。【０００８】  即ち、請求項１では、文字である月日とその月日の属する季節を感じさせるイメージとを表示する表示器と、表示器に接続されて月日，イメージを更新する制御器とを備え、表示器は月日を中央部に大きく表示させイメージを月日の背景として表示させるものであり、制御器は時計機能をもったタイマと月日，イメージに係る内容が記憶されたメモリとタイマのカウントに対応して必要な月日，イメージをメモリから選択して表示器に表示する制御部とからなる。【０００９】  この手段では、表示器に表示される月日が制御器によって毎日自動的に更新されるとともに、制御器によって表示器にその月日の属する季節を感じさせるイメージが月日の背景として表示される。【００１０】  また、請求項２では、請求項１のカレンダー装置において、表示器は文字である二十四節気，雑節を表示するものであり、制御器はメモリに二十四節気，雑節に係る内容が記憶され制御部がタイマのカウントに対応して必要な二十四節気，雑節をメモリから選択して表示器に表示することを特徴とする。【００１１】  この手段では、表示器に文字である二十四節気，雑節も表示される。【００１２】  また、請求項３では、請求項１または２のカレンダー装置において、表示器，制御器はケーシングに一体的に組込まれていることを特徴とする。【００１３】  この手段では、表示器，制御器がケーシングに一体化される。【００１４】  また、請求項４では、請求項３のカレンダー装置において、ケーシングは日常的に使用される日用品の一部分となっていることを特徴とする。【００１５】  この手段では、表示器，制御器がケーシングを介して日用品に一体化される。
【考案の効果】
【００１６】  本考案に係るカレンダー装置は、表示器に表示される月日が制御器によって毎日自動的に更新されるとともに、制御器によって表示器にその月日の属する季節を感じさせるイメージが月日の背景として表示されるため、毎日の日めくり作業が不要で季節感を明確に認識することができる効果がある。【００１７】  さらに、請求項２として、表示器に文字である二十四節気，雑節も表示されるため、季節感をより明確に認識することができる効果がある。【００１８】  さらに、請求項３として、表示器，制御器がケーシングに一体化されるため、コンパクト化されて設置場所に対応した各種の設計が可能になる効果がある。【００１９】  さらに、請求項４として、表示器，制御器がケーシングを介して日用品に一体化されるため、日用品として製品化，商品化することができる効果がある。
【考案を実施するための最良の形態】
【００２０】  以下、本考案に係るカレンダー装置を実施するための最良の形態を図面に基づいて説明する。【００２１】  図１〜図３は、本考案に係るカレンダー装置を実施するための最良の形態の第１例を示すものである。【００２２】  第１例では、卓上設置構造からなるものを示してある。【００２３】  第１例は、図１，図２に示すように、表示器１，制御器２，電源ユニット３，ケーシング４の各部で構成されている。【００２４】  表示器１は、モノクロ，カラー等の液晶表示装置からなるもので、月日ａ，イメージｂ，年号ｃ，曜日ｄ，二十四節気，雑節ｅが表示されるようになっている。月日ａは、年を区切る月と月を区切る日とが並記される算用（アラビア）数字と漢字との組合わせの文字からなるもので、画面の中央部に大きく表示される。月日ａについては、図面に具体例として横書きの「１月１日」を示してある。イメージｂは、表示される月日ａの属する季節を感じさせる絵，模様，図，写真等からなるもので、画面のほぼ全体に月日ａの背景として表示される。イメージｂについては、図面に具体例として絵である「富士山の初日の出」を示してある。なお、イメージｂの他の例としては、季節に対応した花鳥風月，年中行事，風習の絵，写真が考えられる。年号ｃは、表示される月日ａの属する年の西暦，和暦（元号）を並記する算用（アラビア）数字と漢字との組合わせの文字からなるもので、画面の月日ａの上側に小さく表示される。年号ｃについては、図面に具体例として横書きの「２００８年（平成２０年）」を示してある。曜日ｄは、表示される月日ａに対応する曜を記す漢字の文字からなるもので、画面の月日ａの下側に小さく表示される。曜日ｄについては、図面に具体例として横書きの「火曜日」を示してある。二十四節気，雑節ｅは、表示される月日ａの属する季節の節目を記す漢字の文字からなるもので、画面の右下の隅部に小さく表示される。二十四節気，雑節ｅについては、図面に具体例として縦書きの「元旦」を示してある。ちなみに、二十四節気とは「立春」，「春分」等のことであり、雑節とは「節分」，「彼岸」等のことである。【００２５】  制御器２は、図３に示すように、タイマ２１，メモリ２２，制御部２３からなる。タイマ２１は、時計機能を有して正確に午前０時をカウントすることができる機能を備えている。メモリ２２は、表示器１に表示される月日ａ，イメージｂ，年号ｃ，曜日ｄ，二十四節気，雑節ｅに係る内容が記憶されている。制御部２３は、タイマ２１の午前０時のカウントに対応してメモリ２２から月日ａ，イメージｂ，年号ｃ，曜日ｄ，二十四節気，雑節ｅを選択して表示器１の表示を毎日更新するマイクロプロセッサを備えている。なお、当然ながら、イメージｂ，年号ｃについては、毎日更新するものではなく同一の表示が連続されることはあり得る。即ち、イメージｂについては、四季毎，月毎等とすることも可能である。また、年号ｃについては、当然に年毎となる。【００２６】  電源ユニット３は、交流電源（図示せず）やバッテリ（図示せず）と表示器１，制御器２とを接続する電気制御回路，コンバータ等からなる。【００２７】  ケーシング４は、表示器１，制御器２，電源ユニット３を一体的に組込む金属製，合��樹脂製の容器体からなるもので、側面形状がＬ字形に形成されて下部に電源ユニット３を内蔵して重心を低下させることで転倒を防止している。【００２８】  第１例によると、表示器１に表示される月日ａが制御器２によって毎日自動的に更新されるとともに、制御器２によって表示器１にその月日ａの属する季節を感じさせるイメージｂが月日ａの背景として表示されることになる。従って、毎日の日めくり作業が不要になって、認知症，高齢者，障害者等が毎日の煩雑な日めくり作業から解放される。そして、あまり外出せず戸外の風景の移変わりに疎くなっている認知症，高齢者，障害者等に月日ａ，イメージｂの双方が同時に目視されるようになって、季節感を明確に認識することができるようになる。二十四節気，雑節ｅは、季節感の認識を補助することになる。なお、年号ｃ，曜日ｄは、季節感に加えて社会的な時間軸の把握に寄与する。【００２９】  図４，図５は、本考案に係るカレンダー装置を実施するための最良の形態の第２例を示すものである。【００３０】  第２例では、第１例のケーシング４の側面形状を縦長の台形としてある。【００３１】  第２例によると、表示器１の画面を傾斜させて見やすくするとともに、背面を利用して日常的に頻繁に使用される鏡からなる日用品５を取付けることができる。即ち、ケーシング４を日用品５の一部分とすることで、設置が日常生活の邪魔にならなくなる。【００３２】  図５は、本考案に係るカレンダー装置を実施するための最良の形態の第３例を示すものである。【００３３】  第３例は、第１例のケーシング４を洗面所等に設置される壁取付式の鏡からなる日用品５に埋込んでいる。【００３４】  第３例によると、第２例よりもさらに設置が日常生活の邪魔にならなくなる利点がある。また、埋込まれた日用品５の製品価値，商品価値を高めることができる。【００３５】  以上、図示した各例の外に、表示器１として液晶表示装置以外のものを選択することも可能である。【００３６】  さらに、表示器１に月日ａ，イメージｂ，年号ｃ，曜日ｄ，二十四節気，雑節ｅ以外のものをも表示させることも可能である。【００３７】  さらに、ケーシング１を鏡以外の日用品５（例えば、テーブル等の家具）と一体化させることも可能である。【００３８】  さらに、全体を吊下げ等の壁掛設置構造とすることも可能である。【００３９】  さらに、表示器１をシート状に形成して、別体に形成した制御器２等と有線，無線で接続することも可能である。
【図面の簡単な説明】
【００４０】
【図１】  本考案に係るカレンダー装置を実施するための最良の形態の第１例の斜視図である。
【図２】  図１の正面図である。
【図３】  図１の要部のブロック図である。
【図４】  本考案に係るカレンダー装置を実施するための最良の形態の第２例の斜視図である。
【図５】  図４の背面方向からの斜視図である。
【図６】  本考案に係るカレンダー装置を実施するための最良の形態の第３例の正面図である。
【符号の説明】
【００４１】  １            表示器
２            制御器
２１          タイマ
２２          メモリ
２３          制御部
４            ケーシング
５            日用品
ａ            月日
ｂ            イメージ
ｅ            二十四節気，雑節
【図１】
0003140419.tif 000003
【図２】
0003140419.tif 000004
【図３】
0003140419.tif 000005
【図４】
0003140419.tif 000006
【図５】
0003140419.tif 000007
【図６】
0003140419.tif 000008